(57)【要約】【課題】  センターケースに取込まれた遊技球の入賞の確実性を高めることができるパチンコ機を実現する。【解決手段】  球出口８の直下には入賞部材１２が設けられており、球出口８の下部には、球出口８の後方から下り勾配の傾斜誘導部３が形成されている。センターケースに取込まれ、横型流下経路１０ｂに流下した排出球Ｐ１が傾斜誘導部３を転動しているときに流下球Ｐ２と衝突した場合、排出球Ｐ１は傾斜誘導部３によって支持されているため、弾かれ難く、入賞口１２ｃに入賞する可能性が高い。【選択図】  図７
2006230588.tif 000002
【特許請求の範囲】
【請求項１】
遊技盤と、
この遊技盤の遊技領域に設けられており、前記遊技領域を流下する遊技球を受入れるための開口部が設けられたハウジングと、
前記遊技領域内に開口しており、前記開口部から前記ハウジングの内部に受入れられた遊技球を前記遊技領域へ排出する排出口と、
前記遊技領域を流下した遊技球（以下、流下球という）を受入れ可能な受入口を前記排出口の直下に有する受入部材と、
前記流下球と、前記排出口から前記遊技領域へ少なくとも一部が露出した遊技球（以下、排出球という）とが衝突した際に、前記排出球が前記受入口へ向かう経路から外れないように前記排出球の動きを規制する規制手段と、
を備えたことを特徴とするパチンコ機。
【請求項２】
前記規制手段は、前記排出口の後方の下部から前記受入口に向けて下り勾配に形成された傾斜部であり、その傾斜部を転動する前記排出球と前記流下球とが衝突した際に、その衝突による衝撃力が前記傾斜部に加わるように構成されていることを特徴とする請求項１に記載のパチンコ機。
【請求項３】
前記規制手段は、前記排出口の後方の下部から前記受入口に向けて下り勾配に形成された溝であり、その溝に沿って転動する前記排出球と前記流下球とが衝突した際に、その衝突による衝撃力が前記溝を構成する部分に加わるように構成されていることを特徴とする請求項１に記載のパチンコ機。
【請求項４】
前記規制手段は、前記規制手段に沿って転動している前記排出球が、前記流下球と衝突した際に前記規制手段の上り方向側の上端を超えない勾配に形成されていることを特徴とする請求項２または請求項３に記載のパチンコ機。
【請求項５】
前記規制手段は、前記規制手段に沿って転動している前記排出球が、前記流下球と衝突した際に前記規制手段の上り方向側の上端を超えることが可能な勾配に形成されていることを特徴とする請求項２または請求項３に記載のパチンコ機。
【請求項６】
前記規制手段の下り方向側の下端が、前記受入口の内部に露出していることを特徴とする請求項３ないし請求項５のいずれか１つに記載のパチンコ機。
【請求項７】
前記規制手段は、前記流下球と前記排出球とが衝突した際に、前記排出球に当接することにより、前記排出球の動きを規制するように構成されていることを特徴とする請求項１に記載のパチンコ機。
【請求項８】
前記規制手段が設けられていない部分には、前記規制手段に沿って転動しない前記排出球を前記排出口から前記受入口のない遊技領域へ排出するように誘導する誘導部が備えられていることを特徴とする請求項１ないし請求項７のいずれか１つに記載のパチンコ機。
【請求項９】
前記受入口を形成する壁が前記規制手段の一部を構成しており、
前記排出球は前記排出口から露出したときに、少なくともその一部が前記受入口の内部に入り込んだ状態になり、受入口の側方から見て前記排出球の一部が前記壁に隠れるように構成されていることを特徴とする請求項１ないし請求項８のいずれか１つに記載のパチンコ機。
【発明の詳細な説明】
【技術分野】
【０００１】
この発明は、受入れた遊技球を遊技領域へ排出する排出口を有するハウジングと、排出口の直下に設けられた入賞口とを備えたパチンコ機に関する。
【背景技術】
【０００２】
従来、この種のパチンコ機として特許文献１に記載のものが知られている。このパチンコ機は、特別図柄表示装置（公報では液晶ディスプレイと記載）の外周部を囲むようにして設けられたセンターケースを備える。そのセンターケースの上端には、遊技球を取込む球入口（公報では普通入賞手段と記載）が設けられており、センターケースの前面下部には、球入口から受入れられた遊技球を遊技領域へ排出する球出口（公報では出口穴と記載）が設けられている。その球出口から排出された遊技球の落下方向には、始動入賞装置（公報では図柄始動手段と記載）が設けられており、その始動入賞装置の下方には、変動入賞装置（公報では可変入賞手段と記載）が設けられている。
そして、球出口から排出された遊技球が始動入賞装置に入賞すると、特別図柄表示装置が特別図柄の変動表示を開始し、大当り図柄が停止すると大当りが発生し、変動入賞装置が作動し、大入賞口が開口する。
【０００３】
【特許文献１】特開２００３−２４５５０号公報（第４〜８頁、図５）
【発明の開示】
【発明が解決しようとする課題】
【０００４】
しかし、上記従来のパチンコ機には、次のような問題があった。ここでは、その問題を説明するため、特許文献１に記載の図に代えて、本願発明者が考案したパチンコ機の図を使用する。図１２は、本願発明者が考案したパチンコ機の一部を拡大して示す斜視説明図である。図１２（Ａ）は、遊技球同士が衝突した様子を示す斜視説明図であり、図１２（Ｂ）は、衝突した遊技球同士が弾かれた様子を示す斜視説明図である。
センターケース５０に取り込まれた遊技球Ｐ１は、ステージ５２の上を転動し、球入口５３からセンターケース内部に入り、球出口５１から遊技領域２０ａへ排出される。このとき、図１２（Ａ）に示すように、センターケース５０に取り込まれないで遊技領域２０ａを流下してきた遊技球Ｐ２が、球出口５１から排出された遊技球Ｐ１に衝突することがある。このような衝突が発生すると、図１２（Ｂ）に示すように、遊技球Ｐ１は、弾かれて流下を阻止され、釘７ｂ，７ｂによって規定された入賞口１２ｃに入賞することができない。
特に、入賞口１２ｃは、一般の入賞口と異なり、当該入賞口１２ｃへの入賞に基づいて特別図柄表示装置が特別図柄を変動表示する契機となるものであるため、遊技者にとって非常に重要である。このため、折角、球出口５１から排出され、入賞口１２ｃに入賞する筈であった遊技球が、入賞できなくなってしまうのでは、遊技者に酷である。
【０００５】
そこでこの発明は、センターケースに取込まれた遊技球の入賞の確実性を高めることができるパチンコ機を実現することを目的とする。
【課題を解決するための手段】
【０００６】
この発明は、上記目的を達成するため、請求項１ないし請求項９に記載の発明では、遊技盤（２０）と、この遊技盤の遊技領域（２０ａ）に設けられており、前記遊技領域を流下する遊技球を受入れるための開口部（３５）が設けられたハウジング（３１）と、前記遊技領域内に開口しており、前記開口部から前記ハウジングの内部に受入れられた遊技球を前記遊技領域へ排出する排出口（８）と、前記遊技領域を流下した遊技球（以下、流下球という）（Ｐ２）を受入れ可能な受入口（１２ａ）を前記排出口の直下に有する受入部材（１２）と、前記流下球と、前記排出口から前記遊技領域へ少なくとも一部が露出した遊技球（以下、排出球という）（Ｐ１）とが衝突した際に、前記排出球が前記受入口へ向かう経路から外れないように前記排出球の動きを規制する規制手段（３、３ａ、１２ｂ）と、を備えたという技術的手段を用いる。
【０００７】
請求項２に記載の発明では、請求項１に記載のパチンコ機（１）において、前記規制手段は、前記排出口（８）の後方の下部から前記受入口（１２ａ）に向けて下り勾配に形成された傾斜部（３）であり、その傾斜部を転動する前記排出球（Ｐ１）と前記流下球（Ｐ２）とが衝突した際に、その衝突による衝撃力が前記傾斜部に加わるように構成されているという技術的手段を用いる。
【０００８】
請求項３に記載の発明では、請求項１に記載のパチンコ機（１）において、前記規制手段は、前記排出口（８）の後方の下部から前記受入口（１２ａ）に向けて下り勾配に形成された溝であり、その溝に沿って転動する前記排出球（Ｐ１）と前記流下球（Ｐ２）とが衝突した際に、その衝突による衝撃力が前記溝を構成する部分に加わるように構成されているという技術的手段を用いる。
【０００９】
請求項４に記載の発明では、請求項２または請求項３に記載のパチンコ機（１）において、前記規制手段は、前記規制手段に沿って転動している前記排出球（Ｐ１）が、前記流下球（Ｐ２）と衝突した際に前記規制手段の上り方向側の上端（３ｂ）を超えない勾配に形成されているという技術的手段を用いる。
【００１０】
請求項５に記載の発明では、請求項２または請求項３に記載のパチンコ機（１）において、前記規制手段は、前記規制手段に沿って転動している前記排出球（Ｐ１）が、前記流下球（Ｐ２）と衝突した際に前記規制手段の上り方向側の上端（３ｂ）を超えることが可能な勾配に形成されているという技術的手段を用いる。
【００１１】
請求項６に記載の発明では、請求項３ないし請求項５のいずれか１つに記載のパチンコ機（１）において、前記規制手段の下り勾配側の下端（３ｃ）が、前記受入口（１２ａ）の内部に露出しているという技術的手段を用いる。
【００１２】
請求項７に記載の発明では、請求項１に記載のパチンコ機（１）において、前記規制手段は、前記流下球（Ｐ２）と前記排出球（Ｐ１）とが衝突した際に、前記排出球に当接することにより、前記排出球の動きを規制するように構成されているという技術的手段を用いる。
【００１３】
請求項８に記載の発明では、請求項１ないし請求項７のいずれか１つに記載のパチンコ機（１）において、前記規制手段が設けられていない部分には、前記規制手段に沿って転動しない前記排出球（Ｐ１）を前記排出口（８）から前記受入口（１２ａ）のない遊技領域へ排出するように誘導する誘導部（１０ｃ）が備えられているという技術的手段を用いる。
【００１４】
請求項９に記載の発明では、請求項１ないし請求項８のいずれか１つに記載のパチンコ機（１）において、前記受入口（１２ａ）を形成する壁（１２ｂ）が前記規制手段の一部を構成しており、前記排出球（Ｐ１）は前記排出口（８）から露出したときに、少なくともその一部が前記受入口の内部に入り込んだ状態になり、受入口の側方から見て前記排出球の一部が前記壁に隠れるように構成されているという技術的手段を用いる。
なお、上記の括弧内の符号は、後述する実施形態において使用する符号と対応するものである。
【発明の効果】
【００１５】
（請求項１に係る発明の効果）
ハウジングの開口部からハウジングの内部に受入れられ、排出口から遊技領域へ少なくとも一部が露出した遊技球が、排出口の直下の受入口へ向かう経路から外れないように遊技球の動きを規制する規制手段を備えるため、ハウジングに受入れられた遊技球が受入口に受入れられる確実性を高めることができるパチンコ機を実現することができる。
【００１６】
（請求項２に係る発明の効果）
規制手段は、排出口の後方の下部から受入口に向けて下り勾配に形成された傾斜部であり、その傾斜部を転動する排出球と流下球とが衝突した際に、その衝突による衝撃力が傾斜部に加わるように構成されているため、その衝撃力が傾斜部に吸収されることにより、排出球が受入口へ向かう経路から外れないように規制することができる。
【００１７】
（請求項３に係る発明の効果）
規制手段は、排出口の後方の下部から受入口に向けて下り勾配に形成された溝であり、その溝に沿って転動する排出球と流下球とが衝突した際に、その衝突による衝撃力が溝を構成する部分に加わるように構成されているため、その衝撃力が溝を構成する部分に吸収されることにより、排出球が受入口へ向かう経路から外れないように規制することができる。
【００１８】
（請求項４に係る発明の効果）
規制手段は、規制手段に沿って転動している排出球が、流下球と衝突した際に規制手段の上り方向側の上端を超えない勾配に形成されているため、排出球がその上端を超えた後に規制手段以外の部分を転動してしまい、受入口へ向かう経路から外れないように規制することができる。
【００１９】
（請求項５に係る発明の効果）
規制手段は、規制手段に沿って転動している排出球が、流下球と衝突した際に規制手段の上り方向側の上端を超えることが可能な勾配に形成されているため、排出球がその上端を超えた後に規制手段以外の部分を転動し、受入口へ向かう経路から外れる可能性が発生するので、非常にスリルのある遊技を楽しむことができる。
【００２０】
（請求項６に係る発明の効果）
規制手段の下り勾配側の下端が、受入口の内部に露出しているため、規制手段に沿って転動する排出球を受入口に確実に受入れさせることができる。
【００２１】
（請求項７に係る発明の効果）
規制手段は、流下球と排出球とが衝突した際に、排出球に当接することにより、排出球の動きを規制するように構成されているため、例えば、流下球と衝突した排出球が動く方向に、排出球に当接する部材を設けるという簡易な構成により、排出球の動きを規制することができる。
【００２２】
（請求項８に係る発明の効果）
規制手段が設けられていない部分には、規制手段に沿って転動しない排出球を排出口から受入口のない遊技領域へ排出するように誘導する誘導部が備えられているため、規制手段に沿って転動しない排出球は、受入口へ受入れられないということになるので、排出球が規制手段に沿って転動するかどうか、非常にスリルのある遊技を楽しむことができる。
【００２３】
（請求項９に係る発明の効果）
受入口を形成する壁が規制手段の一部を構成しており、排出球は排出口から露出したときに、少なくともその一部が受入口の内部に入り込んだ状態になり、受入口の側方から見て排出球の一部が壁に隠れるように構成されている。
つまり、排出球は流下球と衝突して弾かれたときに、受入口を形成する壁に衝突することにより、その動きが規制されるため、受入口に受入れられる可能性が高くなる。
【発明を実施するための最良の形態】
【００２４】
＜第１実施形態＞
この発明の第１実施形態について説明する。
［全体の主要構成］
まず、この実施形態のパチンコ機の主要構成について図１および図２を参照して説明する。図１は、そのパチンコ機の外観を正面から見た説明図である。なお、以下の説明では、パチンコ機で遊技をする遊技者に向く方向を前方とし、その逆方向を後方とする。また、遊技者から見て左右方向を左右方向または横方向とし、縦方向を縦方向または上下方向とする。
図１に示すように、パチンコ機１には、外殻を構成する前枠２１が設けられており、その前枠２１にはガラス枠２２が開閉可能に取付けられている。ガラス枠２２の内側には遊技盤２０が設けられており、前枠２１の前面右下方には、遊技盤２０へ遊技球を発射する発射装置を操作する発射レバー２３が回動可能に取付けられている。遊技盤２０の下方には、払出された賞球や貸球を収容する上受け皿２４が設けられており、上受け皿２４の下方には、上受け皿２４の収容可能数を超えて流下した賞球を収容する下受け皿２５が設けられている。
【００２５】
［遊技盤の主要構成］
次に、遊技盤２０の主要構成について図２および図３を参照して説明する。図２は図１に示すパチンコ機に備えられた遊技盤を正面から見た概略説明図であり、図３は図１に示すパチンコ機に備えられた遊技盤を右斜め上方から見た概略説明図である。
遊技盤２０の盤面上には、発射装置から発射された遊技球を案内する案内レール４２が設けられており、その案内レール４２によって遊技領域２０ａの一部が略円形に区画形成されている。遊技領域２０ａには、センターケース３０が備えられている。センターケース３０には、ハウジング３１が備えられており、そのハウジング３１には、複数の特別図柄を変動表示（スクロール表示ともいう）する図柄表示装置３２が備えられている。図柄表示装置３２の表示画面には、特別図柄を変動表示する表示領域が複数設定されている。この実施形態では、表示画面の横方向に３つの表示領域が設定されている。図柄表示装置３２は、各表示領域において複数の特別図柄（例えば０〜９の計１０種類の数字を表現した特別図柄）を縦に配列した図柄列をそれぞれ変動表示する。また、図柄表示装置３２は、表示画面の所定の表示領域において複数の普通図柄（例えば○や×などを表現した普通図柄）を変動表示する。
【００２６】
ハウジング３１の下端から下方へ突出した突出部３１ｉには、センターケース３０に取込まれた遊技球を排出する球出口８が前後方向に貫通形成されている。その球出口８の直下には、球出口８から排出された遊技球が入賞可能な入賞部材１２が設けられており、その直下には、左右に開閉可能な開閉翼片１３ａ，１３ａを有する始動入賞装置１３が設けられている。始動入賞装置１３の直下には、大当りが発生したときに作動する変動入賞装置２６が設けられている。また、遊技盤２０には、普通図柄作動ゲート２７と、入賞口２８と、風車２９と、アウト口４１とが設けられており、遊技球の流下経路を規定する多くの遊技釘７が打ち込まれている。
【００２７】
［センターケース３０の主要構造］
次に、センターケース３０の主要構造について図３を参照して説明する。
センターケース３０のハウジング３１は、図柄表示装置３２の周囲を取り囲むように枠状に形成されており、遊技盤２０の盤面から前方へ突出して設けられている。ハウジング３１の上部を構成する上枠３１ａには、遊技球を取込む（受入れる）ための球取込口３５，３５が開口形成されており、上枠３１ａの内部には、球取込口３５から取り込まれた遊技球が横方向に流下するための横ワープルートが形成されている。
ハウジング３１の両側部を構成する縦枠３１ｂ，３１ｂには、上枠３１ａ内部の横ワープルートを流下した遊技球が縦方向に流下するための縦ワープルートがそれぞれ形成されている。縦枠３１ｂの内向きの壁面には、縦ワープルートを流下した遊技球を排出するための球排出口３６が開口形成されている。図３においては、左側の縦枠３１ｂに開口形成された球排出口３６が示されているが、実際には、右側の縦枠３１ｂにも同様の球排出口３６が開口形成されている。
【００２８】
ハウジング３１の下部を構成する下枠３１ｃの上面には、各球排出口３６から排出された遊技球が転動するためのステージ部が形成されている。この実施形態では、形成位置の高い順に第１ステージ部３１ｄ、第２ステージ部３１ｅ、第３ステージ部３１ｆの計３つのステージ部が階段状に形成されている。ステージ部の数は、１つ、２つ、または４つ以上でもよい。各ステージは、球排出口３６から排出された遊技球が転動可能な程度に起伏のある形状に形成されている。各ステージ部の前端には、ステージ上を転動する遊技球の落下を防止するための落下防止壁３１ｇが立ち上がり形成されており、その落下防止壁３１ｇの所定個所には、ステージ上を転動する遊技球を次のステージへ落下させるための落下部３１ｈが開口形成されている。第２ステージ部３１ｅの後方の壁には、第２ステージ部３１ｅを転動する遊技球がハウジング３１の内部へ入るための球入口３７が前後方向に貫通形成されている。この球入口３７は、他のステージに開口形成することもできるし、ステージの平面上に開口形成することもできる。また、複数開口形成することもできる。
【００２９】
［球出口８の周辺構造］
次に、この発明の特徴である球出口８の周辺構造について図４ないし図７を参照して説明する。
図４は図３において破線で囲まれた部分を拡大して示す説明図である。図４（Ａ）は球出口から排出された遊技球（以下、排出前または排出後の遊技球を排出球という）が入賞部材に入賞した様子を示す説明図であり、図４（Ｂ）は排出球が入賞しない場合の流下経路を示す説明図であり、図４（Ｃ）は入賞口に入賞しかけた排出球と、センターケースに取込まれないで遊技領域２０ａを流下してきた遊技球（以下、流下球という）とが衝突した様子を示す説明図であり、図４（Ｄ）は図４（Ｃ）に示す状態の後に排出球だけが入賞部材に入賞した様子を示す説明図である。図５は図３において破線で囲まれた部分を拡大して示す説明図である。図５（Ａ）は入賞口に入賞しかけた排出球に流下球が衝突した様子を示す説明図であり、図５（Ｂ）は図５（Ａ）に示す状態の後に排出球だけが入賞部材に入賞した様子を示す説明図であり、図５（Ｃ）は流下球に衝突された排出球が傾斜誘導部を逆流した後に非入賞となる場合の説明図であり、図５（Ｄ）は球出口の周辺の拡大図である。図６は図４および図５に示す部分の縦断面を右側から見た説明図である。図６（Ａ）は排出球が入賞部材に入賞する場合の流下経路を示す説明図であり、図６（Ｂ）は排出球が入賞しない場合の流下経路を示す説明図である。図７は図４および図５に示す各状態を説明するための部分断面図である。図７（Ａ）は流下球と排出球が衝突する直前の状態を示す説明図であり、図７（Ｂ）は図５（Ａ）に対応する断面図であり、図７（Ｃ）は図４（Ｃ）に対応する断面図であり、図７（Ｄ）〜（Ｆ）は流下球と衝突しないで入賞しない場合の排出球の流下経路を示す断面図である。
【００３０】
図６に示すように、ハウジング３１の内部には、球入口３７からハウジング３１の内部に入った遊技球が流下する流下経路１０が形成されている。流下経路１０は、球入口３７から入った遊技球を下方へ流下させるための縦型流下経路１０ａと、この縦型流下経路１０ａを流下した遊技球を前方へ流下させるための横型流下経路１０ｂとから構成される。横型流下経路１０ｂにおいて遊技球が転動する面は、遊技球が確実に前方へ流下するように下り勾配に形成されている。横型流下経路１０ｂの前方には、球出口８が前後方向に貫通形成されている。球出口８の直下には、入賞部材１２が遊技盤２０の盤面から前方へ突出して設けられている。入賞部材１２の内部には、傾斜誘導部３を転動して球出口８から排出された排出球Ｐ１または流下球Ｐ２が通過可能な受入口１２ａが上下方向に貫通形成されており、その受入口１２ａの上部開口面には、入賞口１２ｃが形成されている。受入口１２ａは、１個の遊技球がようやく通過可能な大きさの空間により形成されている。なお、入賞口とは、遊技球の中心が当該入賞口を不可逆的に通過したとき、当該遊技球の入賞が確定する領域のことである。
【００３１】
横型流下経路１０ｂの底部の前端には、排出球Ｐ１を入賞口１２ｃに誘導するための傾斜誘導部３が、球出口８の後方の下部から受入口１２ａに向けて下り勾配に形成されている。傾斜誘導部３は、横型流下経路１０ｂの底部よりも勾配が大きい下り勾配の平面の斜面に形成されている。図５（Ｄ）に示すように、傾斜誘導部３は、横型流下経路１０ｂの底部を斜めに切り欠いた形状に形成されており、傾斜誘導部３の両側には、三角形状の側壁３ａが形成されている。図面上では、向かって左側の側壁３ａのみが描かれているが、実際には、その左側の側壁３ａと対向するように右側の側壁３ａも同形状に形成されている。傾斜誘導部３は、入賞口１２ｃと同じ横幅に形成されている。また、球出口８の横幅は、排出球Ｐ１が横に少なくとも２個並んで排出可能な大きさに形成されている。図５（Ｄ）に示すように、傾斜誘導部３の両側であって、側壁３ａの上端から外方には、横型流下経路１０ｂを構成する誘導部１０ｃがそれぞれ前後方向に形成されている。各誘導部１０ｃは、排出球Ｐ１が転動可能な大きさに形成されている。各誘導部１０ｃは、横型流下経路１０ｂを流下する排出球Ｐ１のうち、傾斜誘導部３へ向かって流下しない排出球Ｐ１を球出口８から入賞口１２ｃに入賞しない方向へ誘導する。
図７に示すように、傾斜誘導部３の上り方向側の上端３ｂは、球出口８よりも後方に位置しており、入賞口１２ｃと同じ高さに設定されている。傾斜誘導部３の下り方向側の下端３ｃは、球出口８の下縁よりも下方に位置している。また、入賞口１２ｃよりも低く、かつ、受入口１２ａの下部開口面よりも高い位置に設定されている。つまり、傾斜誘導部３の下端３ｃは、受入口１２ａの内部空間に露出しており、傾斜誘導部３の傾斜面は、受入口１２ａの内部空間に連続している。従って、図４（Ａ）に示すように、球出口８から排出された排出球Ｐ１は、傾斜誘導部３を転動し、受入口１２ａの内壁１２ｂに衝突するため、入賞口１２ｃから飛び出すことなく、確実に入賞口１２ｃに入賞する。
【００３２】
図７（Ａ）に示すように、傾斜誘導部３の上端３ｂは、そこにさしかかった排出球Ｐ１の前部が球出口８から遊技領域２０ａへ露出しない位置に形成されている。従って、排出球Ｐ１は、傾斜誘導部３を転動する前の状態では、球出口８から遊技領域２０ａへ露出しないため、流下球Ｐ２と衝突することがない。
また、図５（Ａ）および図７（Ｂ）に示すように、傾斜誘導部３は、その斜面を転動する排出球Ｐ１の前部が球出口８から遊技領域２０ａへ露出したと同時に、排出球Ｐ１が傾斜誘導部３の上を転動開始するように形成されている。また、排出球Ｐ１が傾斜誘導部３を転動開始した直後に排出球Ｐ１（中心Ｃ１は傾斜誘導部３の上端３ｂおよび入賞口１２ｃよりも上方に位置している）の下部が入賞口１２ｃよりも低い位置になるように形成されている。このとき、排出球Ｐ１の下部の一部は、傾斜誘導部３、その側壁３ａおよび受入口１２ａの内壁１２ｂ（図５（Ｄ））によって囲まれ、それらの何れかに当接した状態になる。この状態を受入口１２ａの側方から見ると、排出球Ｐ１の一部が内壁１２ｂに隠れている。
つまり、排出球Ｐ１が傾斜誘導部３を転動し、球出口８から遊技領域２０ａへ露出した直後に排出球Ｐ１の下部の一部が入賞口１２ｃを通過し、受入口１２ａに埋没するように構成されている。
【００３３】
さらに、図７（Ｃ）に示すように、傾斜誘導部３は、排出球Ｐ１の中心（遊技球が球形であるため重心に等しい）Ｃ１が球出口８の開口面よりも遊技領域２０ａへ移動し、かつ、中心Ｃ１が入賞口１２ｃよりも低い位置に移動している状態において排出球Ｐ１が傾斜誘導部３の上に接触しているように形成されている。
つまり、傾斜誘導部３は、排出球Ｐ１が球出口８から遊技領域２０ａへ露出してから、少なくとも中心Ｃ１が入賞口１２ｃよりも低い位置に移動するときまでは、排出球Ｐ１が傾斜誘導部３の上を転動するように形成されている。このとき、排出球Ｐ１の下部の一部は、傾斜誘導部３、その側壁３ａおよび受入口１２ａの内壁１２ｂ（図５（Ｄ））によって囲まれた状態になり、図７（Ｂ）に示す状態のときよりも、受入口１２ａに深く埋没した状態になる。
従って、図４（Ｃ）、図５（Ａ）および図７（Ｂ），（Ｃ）に示すように、球出口８から露出した排出球Ｐ１に流下球Ｐ２が衝突した場合であっても、その衝撃力は、排出球Ｐ１を介して傾斜誘導部３、その側壁３ａおよび受入口１２ａの内壁１２ｂによって吸収されるため、排出球Ｐ１の動きが規制され、大きく弾かれることがない。
【００３４】
その衝突が、図５（Ａ）および図７（Ｂ）に示す状態のときに発生した場合は、排出球Ｐ１の中心が傾斜誘導部３の上端３ｂよりも高い位置にあるため、排出球Ｐ１は、図中矢印で示すように、転動方向とは逆方向（傾斜誘導部３を上る方向）へ戻り、その後、再び傾斜誘導部３を転動し、入賞口１２ｃに入賞する可能性が高い。また、図５（Ｃ）に示すように、排出球Ｐ１は、流下球Ｐ２との衝突によって傾斜誘導部３を斜めに上る場合があるが、傾斜誘導部３は、そのようなときに排出球Ｐ１が傾斜誘導部３の上端３ｂを超えることができる勾配に形成されているため、排出球Ｐ１は傾斜誘導部３の上端３ｂを超え、誘導部１０ｃに上った後に、その誘導部１０ｃから入賞口１２ｃの端部を通って遊技領域２０ａへ排出される場合もある。
【００３５】
また、衝突が、図４（Ｃ）および図７（Ｃ）に示す状態のときに発生した場合は、排出球Ｐ１の中心が傾斜誘導部３の上端３ｂよりも低い位置にあるため、図４（Ｄ）に示すように、排出球Ｐ１は、転動方向を逆行することなく、そのまま入賞口１２ｃに入賞する可能性が高い。また、排出球Ｐ１は、流下球Ｐ２との衝突によって傾斜誘導部３を上る場合があるが、傾斜誘導部３は、そのようなときに排出球Ｐ１が上端３ｂを超えない勾配に形成されているため、排出球Ｐ１は傾斜誘導部３を上る途中で下りに転じ、入賞口１２ｃに入賞する可能性が高い。
つまり、排出球Ｐ１は、傾斜誘導部３を転動する体勢に入れば、転動途中で流下球Ｐ２と衝突した場合であっても、入賞口１２ｃに入賞する可能性が高い。
【００３６】
また、図５（Ｄ）に示すように、横型流下経路１０ｂは、傾斜誘導部３の横幅よりも広く形成されており、球出口８の開口面近傍における傾斜誘導部３の両側には、横型流下経路１０ｂの底部の一部を構成する誘導部１０ｃがそれぞれ形成されている。
このため、縦型流下経路１０ａ（図６）から横型流下経路１０ｂへ流下してきた排出球Ｐ１は、その辿った流下経路によっては、傾斜誘導部３に向かう流下経路から左右方向にずれ、誘導部１０ｃを辿る可能性がある。
つまり、図４（Ｂ）および図７（Ｄ）〜（Ｆ）に示すように、排出球Ｐ１は、誘導部１０ｃを流下して球出口８から排出され、入賞口１２ｃに入賞しない場合もある。
【００３７】
図６に示すように、始動入賞装置１３に設けられた左右の開閉翼片１３ａの相対向する面間には、閉成した状態において、遊技球が流下可能な空間が上下方向に形成され、その空間の上方は、受入口１２ａに連通している。つまり、入賞口１２ｃを流下した遊技球は、開閉翼片１３ａ間を流下する。始動入賞装置１３の後方の遊技盤２０には、開閉翼片１３ａ間を流下した遊技球を遊技盤２０の裏面側へ取込むための取込口１３ｂが開口形成されている。その取込口１３ｂから取込まれた遊技球の流下経路には、その遊技球を検出する検出スイッチ４０が設けられている。検出スイッチ４０としては、変流器、光センサなどの検出手段が適用可能である。遊技盤２０の裏側には、始動入賞装置１３の各開閉翼片１３ａが開閉するための動力源になるソレノイド１４が配置されている。
【００３８】
［主な遊技内容］
発射レバー２３（図１）を操作すると、上受け皿２４に収容されていた遊技球が案内レール４２に沿って遊技領域２０ａへ案内される。そして、遊技領域２０ａを流下する遊技球がセンターケース３０の球取込口３５（図３）からハウジング３１の内部に取込まれると、その遊技球は、上枠３１ａ内部の横ワープルートを流下して縦枠３１ｂ内部の縦ワープルートを流下し、縦枠３１ｂの球排出口３６から第１ステージ部３１ｄ上へ排出され、第１ステージ部３１ｄ上を転動し、落下部３１ｈから第２ステージ部３１ｅ上へ落下し、第２ステージ部３１ｅ上を転動し、球入口３７から再びハウジング３１の内部へ入る（図６）。
そして、ハウジング３１の内部へ入った遊技球Ｐ１は、流下経路１０を流下し、傾斜誘導部３を転動して入賞口１２ｃに入賞する。また、誘導部１０ｃを転動して入賞口１２ｃに入賞しないで遊技領域２０ａを流下する場合もある。さらに、傾斜誘導部３を転動しているときに流下球Ｐ２と衝突しても入賞口１２ｃに入賞する場合もあり、あるいは、弾かれて入賞口１２ｃに入賞しない場合もある。入賞口１２ｃに入賞した排出球Ｐ１は、始動入賞装置１３の開閉翼片１３ａ間を流下し、取込口１３ｂから遊技盤２０の裏側へ流下し、検出スイッチ４０により検出される。
【００３９】
検出スイッチ４０が遊技球を検出すると、図柄表示装置３２が特別図柄の変動表示を開始し、大当り図柄が停止表示されると、大当りが発生し、変動入賞装置２６の開閉部材２６ａが開放し、大入賞口２６ｂが開口する。そして、大入賞口２６ｂに入賞した遊技球の数が規定数（例えば１０個）に達したという条件、あるいは、大入賞口２６ｂが開口してから規定時間（例えば約３０秒）に達したという条件のいずれかが満足されたときに開閉部材２６ａが閉成し、大入賞口２６ｂが閉口する。大入賞口２６ｂの開口から閉口までを１ラウンドとし、大入賞口２６ｂに入賞した遊技球が大入賞口２６ｂの内部に設けられた特別領域を通過したことを条件に次のラウンドに進むことができ、規定のラウンド数（例えば１５ラウンド）の大当り遊技を行うことができる。
【００４０】
また、特別図柄の変動中に遊技球が検出スイッチ４０により検出された場合は、その検出に基づく特別図柄の変動表示は保留され、現在行われている特別図柄の変動表示が終了した後に、保留されている変動表示が行われる。その保留されている数（以下、特別図柄始動記憶数という）は、センターケース３０に設けられた特別図柄始動記憶数表示装置３３により表示される。この実施形態では、特別図柄始動記憶数の上限は４個である。また、特別図柄始動記憶数表示装置３３は、ＬＥＤを内蔵した４個のランプにより構成されており、そのランプの点灯数により特別図柄始動記憶数を表示する。
また、遊技球が普通図柄作動ゲート２７を通過すると、図柄表示装置３２が普通図柄の変動表示を開始し、当り普通図柄が停止表示されると、始動入賞装置１３の左右の開閉翼片１３ａが開放し、前方入賞領域９ａの入賞領域が拡大される。開放した開閉翼片１３ａから入賞した遊技球は、取込口１３ｂから遊技盤２０の裏側へ流下し、検出スイッチ４０により検出される。普通図柄の変動中に遊技球が普通図柄作動ゲート２７を通過した場合は、その通過に基づく普通図柄の変動表示は保留され、現在行われている普通図柄の変動表示が終了した後に、保留されている変動表示が行われる。その保留されている数（以下、普通図柄始動記憶数という）は、センターケース３０に設けられた普通図柄始動記憶数表示装置３４により表示される。この実施形態では、普通図柄始動記憶数の上限は４個である。また、普通図柄始動記憶数表示装置３４は、ＬＥＤを内蔵した４個のランプにより構成されており、そのランプの点灯数により普通図柄始動記憶数を表示する。
【００４１】
［第１実施形態の効果］
（１）以上のように、上述の第１実施形態のパチンコ機１を使用すれば、ハウジング３１の球取込口３５からハウジング３１の内部に取込まれた排出球Ｐ１が、球出口８の直下の入賞口１２ｃへ向かう経路から外れないように排出球Ｐ１の動きを規制する傾斜誘導部３を備えるため、ハウジング３１に取込まれた排出球Ｐ１が入賞口１２ｃに入賞する確実性を高めることができる。
【００４２】
（２）特に、傾斜誘導部３は、球出口８の後方の下部から受入口１２ａに向けて下り勾配に形成された傾斜部であり、その傾斜部を転動する排出球Ｐ１と流下球Ｐ２とが衝突した際に、その衝突による衝撃力が傾斜部に加わるように構成されているため、その衝撃力が傾斜部に吸収されることにより、排出球Ｐ１が入賞口１２ｃへ向かう流下経路から外れないように規制することができる。
【００４３】
（３）傾斜誘導部３は、それに沿って転動している排出球Ｐ１が、流下球Ｐ２と衝突した際に傾斜誘導部３の上り方向側の上端３ｂを超えない勾配に形成されているため、排出球Ｐ１がその上端３ｂを超えた後に傾斜誘導部３以外の部分を転動してしまい、入賞口１２ｃへ向かう流下経路から外れないように規制することができる。
【００４４】
（４）傾斜誘導部３は、それに沿って転動している排出球Ｐ１が、流下球Ｐ２と衝突した際に傾斜誘導部３の上り方向側の上端３ｂを超えることが可能な勾配に形成されているため、排出球Ｐ１がその上端３ｂを超えた後に傾斜誘導部３以外の部分を転動し、入賞口１２ｃへ向かう流下経路から外れる可能性が発生するので、非常にスリルのある遊技を楽しむことができる。
【００４５】
（５）傾斜誘導部３の下り方向側の下端３ｃが、受入口１２ａの内部に露出しているため、傾斜誘導部３に沿って転動する排出球Ｐ１を入賞口１２ｃに確実に入賞させることができる。
【００４６】
（６）排出球Ｐ１は球出口８から露出したときに、少なくともその一部が受入口１２ａの内部に入り込んだ状態になり、受入口１２ａの側方から見て排出球Ｐ１の一部が、受入口１２ａの内壁３ａに隠れるように構成されている。
つまり、排出球Ｐ１は流下球Ｐ２と衝突して弾かれたときに、受入口１２ａを形成する内壁３ａに衝突することにより、その動きが規制されるため、入賞口１２ｃに入賞する可能性が高くなる。
【００４７】
（７）傾斜誘導部３が設けられていない部分には、傾斜誘導部３に沿って転動しない排出球Ｐ１を球出口８から入賞口１２ｃのない遊技領域２０ａへ排出するように誘導する誘導部１０ｃが備えられているため、傾斜誘導部３に沿って転動しない排出球Ｐ１は、入賞口１２ｃへ入賞しないということになるので、排出球Ｐ１が傾斜誘導部３に沿って転動するかどうか、非常にスリルのある遊技を楽しむことができる。
【００４８】
＜第２実施形態＞
次に、この発明の第２実施形態について図８ないし図１１を参照して説明する。この実施形態のパチンコ機は、第１実施形態の傾斜誘導部３に代えて溝誘導部を使用したことを特徴とする。
図８は球出口８の周辺を拡大して示す説明図である。図８（Ａ）は排出球が入賞部材に入賞した様子を示す説明図であり、図８（Ｂ）は排出球が入賞しない場合の流下経路を示す説明図であり、図８（Ｃ）は入賞口に入賞しかけた排出球と、流下球とが衝突した様子を示す説明図であり、図８（Ｄ）は図８（Ｃ）に示す状態の後に排出球だけが入賞部材に入賞した様子を示す説明図である。図９は球出口８の周辺を拡大して示す説明図である。図９（Ａ）は入賞口に入賞しかけた排出球に流下球が衝突した様子を示す説明図であり、図９（Ｂ）は図９（Ａ）に示す状態の後に排出球だけが入賞部材に入賞した様子を示す説明図であり、図９（Ｃ）は流下球に衝突された排出球が傾斜溝部を逆流した後に非入賞となる場合の説明図であり、図９（Ｄ）は球出口の周辺の拡大図である。図１０は図８および図９に示す部分の縦断面を右側から見た説明図である。図１０（Ａ）は排出球が入賞部材に入賞する場合の流下経路を示す説明図であり、図１０（Ｂ）は排出球が入賞しない場合の流下経路を示す説明図である。図１１は図８および図９に示す各状態を説明するための部分断面図である。図１１（Ａ）は流下球と排出球が衝突する直前の状態を示す説明図であり、図１１（Ｂ），（Ｃ）は図９（Ａ）に対応する断面図であり、図１１（Ｄ）〜（Ｆ）は流下球と衝突しないで入賞しない場合の排出球の流下経路を示す断面図である。
なお、この実施形態のパチンコ機は、球出口８の周辺構造以外は、第１実施形態のパチンコ機１と同じ構成および機能であるため、同じ部分の説明を簡略化または省略し、同じ構成については同じ符号を用いる。
【００４９】
図１０に示すように、横型流下経路１０ｂの底部には、排出球Ｐ１を入賞口１２ｃに誘導するための溝誘導部５が形成されている。図９（Ｄ）に示すように、溝誘導部５は、縦断面が凹形状に形成されており、平面状の溝底部５ａと、この溝底部５ａの両側から上方へ直角に立ち上がり形成された溝側部５ｂと、受入口１２ａの内部空間に露出した前端５ｃとから構成されている。図面上では、向かって左側の溝側部５ｂのみが描かれているが、実際には、その左側の溝側部５ｂと対向するように右側の溝側部５ｂも同形状に形成されている。また、各溝側部５ｂは、排出球Ｐ１が溝底部５ａ上に乗っている場合に、溝側部５ｂの上端５ｄがその排出球Ｐ１の中心Ｃ１よりも低い位置になる高さに形成されている。
つまり、溝誘導部５は、横型流下経路１０ｂの底部を浅い深さの溝状に削った形状に形成されている。
【００５０】
各溝側部５ｂの上端５ｄから外方には、誘導部１０ｃがそれぞれ形成されている。また、各溝側部５ｂは、溝底部５ａ上を転動する排出球Ｐ１が誘導部１０ｃに乗り上げない高さに形成されている。また、図１１に示すように、溝底部５ａの球出口８からの奥行きは、２個の排出球Ｐ１が前方から後方へ縦に並ぶ程度に形成されている。溝底部５ａは、入賞口１２ｃと同じ横幅で入賞口１２ｃよりも低い位置に形成されており、受入口１２ａの内部空間に連続している。
従って、図８（Ａ）に示すように、横型流下経路１０ｂを流下する遊技球のうち、溝誘導部５の内部を転動する遊技球は、転動途中で軌道が左右にずれた場合でも、溝側部５ｂに接触することにより軌道修正されるため、溝誘導部５に沿って転動し、高い確率で入賞口１２ｃに入賞する。
【００５１】
図９（Ａ）および図１１（Ｂ）に示すように、溝誘導部５の溝底部５ａ上を転動し、球出口８から遊技領域２０ａへ露出した排出球Ｐ１に流下球Ｐ２が衝突すると、その衝撃力によって排出球Ｐ１は弾かれそうになるが、排出球Ｐ１の側部が溝側部５ｂによって支持されるとともに、底部が溝底部５ａによって支持されるため、溝底部５ａ上を少し逆戻りすることはあっても、溝側部５ｂを乗り上げて誘導部１０ｃに乗り上げることは殆どなく、図９（Ｂ）に示すように、そのまま入賞口１２ｃに入賞する可能性が高い。
また、排出球Ｐ１は、流下球Ｐ２との衝突時の衝撃力の大きさや衝突方向によっては、図９（Ｃ）に示すように、溝側部５ｂから誘導部１０ｃへ上がり、そのまま誘導部１０ｃに沿って転動し、入賞口１２ｃに入賞しない可能性もある。
また、図８（Ｃ）に示すように、球出口８から遊技領域２０ａへ露出した排出球Ｐ１の一部が受入口１２ａに埋没しているときに、流下球Ｐ２が排出球Ｐ１に衝突した場合は、排出球Ｐ１は、溝側部５ｂの他に、前端５ｃおよび受入口１２ａの内壁１２ｂ（図９（Ｄ））によって支持されているため、弾かれて入賞口１２ｃから離脱する可能性は殆どなく、図８（Ｄ）に示すように、略確実に入賞口１２ｃに入賞する。
さらに、排出球Ｐ１は、横型流下経路１０ｂを流下するときの流下経路によっては、図８（Ｂ）および図１１（Ｄ）〜（Ｆ）に示すように、溝誘導部５に流入しないで誘導部１０ｃに沿って流下し、入賞口１２ｃに入賞しない場合もある。
【００５２】
［第２実施形態の効果］
（１）以上のように、上記第２実施形態のパチンコ機１を使用すれば、ハウジング３１の球取込口３５からハウジング３１の内部に取込まれた排出球Ｐ１が、球出口８の直下の入賞口１２ｃへ向かう経路から外れないように排出球Ｐ１の動きを規制する溝誘導部５を備えるため、ハウジング３１に取込まれた排出球Ｐ１が入賞口１２ｃに入賞する確実性を高めることができる。
【００５３】
（２）特に、溝誘導部５は、球出口８の後方の下部から受入口１２ａに向けて下り勾配に形成された溝であるため、溝誘導部５の内部を転動し、球出口８から露出した排出球Ｐ１と流下球Ｐ２とが衝突した際に、その衝突による衝撃力が溝を構成する溝底部５ａおよび溝側部５ｂに加わるように構成されているため、その衝撃力が溝底部５ａおよび溝側部５ｂに吸収されることにより、排出球Ｐ１が入賞口１２ｃへ向かう流下経路から外れないように規制することができる。
【００５４】
（３）溝誘導部５の溝底部５ａの前端が、受入口１２ａの内部空間に露出しているため、溝誘導部５に沿って転動する排出球Ｐ１を入賞口１２ｃに確実に入賞させることができる。
【００５５】
（４）排出球Ｐ１は球出口８から露出したときに、少なくともその一部が受入口１２ａの内部空間に入り込んだ状態になり、受入口１２ａの側方から見て排出球Ｐ１の一部が、受入口１２ａの内壁３ａに隠れるように構成されている。
つまり、排出球Ｐ１は流下球Ｐ２と衝突して弾かれたときに、受入口１２ａを形成する内壁３ａに衝突することにより、その動きが規制されるため、入賞口１２ｃに入賞する可能性が高くなる。
【００５６】
（５）溝誘導部５が設けられていない部分には、溝誘導部５に沿って転動しない排出球Ｐ１を球出口８から入賞口１２ｃのない遊技領域２０ａへ排出するように誘導する誘導部１０ｃが備えられているため、溝誘導部５に沿って転動しない排出球Ｐ１は、入賞口１２ｃへ入賞しないということになるので、排出球Ｐ１が溝誘導部５に沿って転動するかどうか、非常にスリルのある遊技を楽しむことができる。
【００５７】
＜他の実施形態＞
（１）第１実施形態では、排出球Ｐ１が傾斜誘導部３を転動開始したときには既に球出口８から遊技領域２０ａへ露出するように傾斜誘導部３を構成したが、傾斜誘導部３の上端３ｂの位置をもっと後方に設定し、排出球Ｐ１が傾斜誘導部３を転動している途中で球出口８から遊技領域２０ａへ露出するように構成することもできる。
【００５８】
（２）第１実施形態では、傾斜誘導部３の上端３ｂの位置は入賞口１２ｃと同じであったが、排出球Ｐ１が球出口８から遊技領域２０ａへ露出したときには既に傾斜誘導部３を転動開始している条件を満たせば、入賞口１２ｃよりも高い位置または低い位置に設定することもできる。
【００５９】
（３）第２実施形態では、溝誘導部５を構成する溝底部５ａは平面状であったが、縦断面が円弧状の溝底部を用いることもできる。例えば、縦断面が、排出球Ｐ１の外形に合致した形状の溝底部を用いる。
【００６０】
（４）第２実施形態では、排出球Ｐ１が溝底部５ａ上に乗っている場合に、溝側部５ｂの上端５ｄがその排出球Ｐ１の中心Ｃ１よりも低い位置になるように各溝側部５ｂを形成したが、溝側部５ｂの上端５ｄが排出球Ｐ１の中心Ｃ１よりも高い位置になるように各溝側部５ｂを形成することもできる。このように、溝の上端の高さを高くするほど（例えば、溝内の排出球Ｐ１の中心よりも高くする）、溝内を転動する排出球Ｐ１を確実に入賞口１２ｃに誘導することができる。
【００６１】
（５）第２実施形態では、溝底部５ａの球出口８からの奥行きを、２個の排出球Ｐ１が前方から後方へ縦に並ぶ程度に形成したが、排出球Ｐ１が１個だけ溝内に入る程度の奥行きに形成することもできる。
【００６２】
（６）第２実施形態では、縦断面が凹形状の溝誘導部５を説明したが、左右方向に相対向する１対のレールを球出口８の下部から後方へ形成することもできる。
【００６３】
（７）第２実施形態の溝誘導部５または上記１対のレールを球出口８の上端から、横型流下経路１０ｂの上面に沿って設け、排出球Ｐ１の頭部が溝内またはレール間に入るように構成し、その溝誘導部５または１対のレールによって排出球Ｐ１を球出口８から入賞口１２ｃに誘導することもできる。この構成によれば、球出口８から遊技領域２０ａへ露出した排出球Ｐ１に流下球Ｐ２が衝突した場合であっても、排出球Ｐ１が溝内部またはレール間から外れるおそれがないため、より一層確実に排出球Ｐ１を入賞口１２ｃに入賞させることができる。
【００６４】
（８）第１実施形態では、傾斜誘導部３の両側に誘導部１０ｃを設け、第２実施形態では、溝誘導部５の両側に誘導部１０ｃを設けたが、一方の側にのみ誘導部１０ｃを設けることもできる。この構成によれば、排出球Ｐ１が誘導部１０ｃに誘導されて入賞口１２ｃに入賞しなくなる可能性を低くすることができる。
【００６５】
（９）傾斜誘導部３の斜面に溝または上記１対のレールを設け、その溝内またはレール間に沿って排出球Ｐ１を入賞口１２ｃに入賞させるように構成することもできる。
【００６６】
（１０）上記１対のレールに代えて、左右方向に相対向する突起部を球出口８の近傍の下面または上面あるいは傾斜誘導部３の斜面に設けることもできる。
【００６７】
（１１）溝誘導部５を複数設け、各溝誘導部毎に球出口８からの排出方向が異なるように構成し、特定の溝誘導部に沿って流下した場合に入賞口１２ｃに入賞する確率が高くなるように構成することもできる。この構成によれば、どの溝誘導部に流入するか、スリルのある遊技を楽しむことができる。
【００６８】
（１２）流下球Ｐ２の流下方向が特定の方向に偏っており、排出球Ｐ１に衝突する方向を略特定できるような場合は、その衝突によって弾かれる排出球Ｐ１を支持できる位置にレールの側面がくるように１本のレールを設けることもできるし、その位置に１個の突起部を設けることもできる。
【００６９】
（１３）第１実施形態では、傾斜誘導部３の斜面を平面に形成したが、その斜面を水平にして見た場合に縦断面が円弧状の凹形状になるように形成することもできる。例えば、排出球Ｐ１の外形と合致した形状の凹形状に形成する。この構成によれば、その凹形状の部分に排出球Ｐ１が嵌り込んだときに流下球Ｐ２と衝突した場合は、排出球Ｐ１は、凹形状の部分によって支持されるため、弾かれ難くなるので、排出球Ｐ１をより一層確実に入賞口１２ｃに入賞させることができる。
【００７０】
（１４）傾斜誘導部３の斜面または溝誘導部５の前端に、ゴムなどの摩擦抵抗の大きい部材を取付け、流下球Ｐ２との衝突時に排出球Ｐ１が横方向に滑る量を軽減し、より一層確実に入賞口１２ｃに入賞できるように構成することもできる。また、上記突起部をゴムなどの摩擦抵抗の大きい部材により形成することもできる。
【００７１】
（１５）上記各実施形態では、球出口８がセンターケース３０のハウジング３１に形成された場合を説明したが、球出口８を遊技盤２０に形成することもできる。この場合、球出口８の下端の遊技盤２０を切欠き形成することにより、傾斜誘導部３を形成することもできる。この場合、遊技盤２０の地肌が出ないように、合成樹脂や金属によって形成された部材によって傾斜誘導部３上を覆うことが望ましい。
【００７２】
（１６）上記各実施形態では、この発明に係るパチンコ機として、遊技球が入賞口１２ｃに入賞したことを契機として図柄表示装置が特別図柄の変動表示を開始し、大当り図柄が停止表示されたときに大当りが発生するパチンコ機を代表に説明したが、そのように図柄の変動表示を開始させる機能を備えていない、いわゆる普通入賞口が球出口８の直下に設けられたパチンコ機に、この発明を適用することもできる。
【図面の簡単な説明】
【００７３】
【図１】この発明の実施形態に係るパチンコ機の外観を正面から見た説明図である。
【図２】図１に示すパチンコ機に備えられた遊技盤を正面から見た概略説明図である。
【図３】図１に示すパチンコ機に備えられた遊技盤を右斜め上方から見た概略説明図である。
【図４】図３において破線で囲まれた部分を拡大して示す説明図である。図４（Ａ）は球出口から排出された遊技球（以下、排出前または排出後の遊技球を排出球という）が入賞部材に入賞した様子を示す説明図であり、図４（Ｂ）は排出球が入賞しない場合の流下経路を示す説明図であり、図４（Ｃ）は入賞口に入賞しかけた排出球と、センターケースに取込まれないで遊技領域を流下してきた遊技球（以下、流下球という）とが衝突した様子を示す説明図であり、図４（Ｄ）は図４（Ｃ）に示す状態の後に排出球だけが入賞部材に入賞した様子を示す説明図である。
【図５】図３において破線で囲まれた部分を拡大して示す説明図である。図５（Ａ）は入賞口に入賞しかけた排出球に流下球が衝突した様子を示す説明図であり、図５（Ｂ）は図５（Ａ）に示す状態の後に排出球だけが入賞部材に入賞した様子を示す説明図であり、図５（Ｃ）は流下球に衝突された排出球が傾斜誘導部を逆流した後に非入賞となる場合の説明図であり、図５（Ｄ）は球出口の周辺の拡大図である。
【図６】図４および図５に示す部分の縦断面を右側から見た説明図である。図６（Ａ）は排出球が入賞部材に入賞する場合の流下経路を示す説明図であり、図６（Ｂ）は排出球が入賞しない場合の流下経路を示す説明図である。
【図７】図４および図５に示す各状態を説明するための部分断面図である。図７（Ａ）は流下球と排出球が衝突する直前の状態を示す説明図であり、図７（Ｂ）は図５（Ａ）に対応する断面図であり、図７（Ｃ）は図４（Ｃ）に対応する断面図であり、図７（Ｄ）〜（Ｆ）は流下球と衝突しないで入賞しない場合の排出球の流下経路を示す断面図である。
【図８】第２実施形態において球出口８の周辺を拡大して示す説明図である。図８（Ａ）は排出球が入賞部材に入賞した様子を示す説明図であり、図８（Ｂ）は排出球が入賞しない場合の流下経路を示す説明図であり、図８（Ｃ）は入賞口に入賞しかけた排出球と、流下球とが衝突した様子を示す説明図であり、図８（Ｄ）は図８（Ｃ）に示す状態の後に排出球だけが入賞部材に入賞した様子を示す説明図である。
【図９】球出口８の周辺を拡大して示す説明図である。図９（Ａ）は入賞口に入賞しかけた排出球に流下球が衝突した様子を示す説明図であり、図９（Ｂ）は図９（Ａ）に示す状態の後に排出球だけが入賞部材に入賞した様子を示す説明図であり、図９（Ｃ）は流下球に衝突された排出球が傾斜溝部を逆流した後に非入賞となる場合の説明図であり、図９（Ｄ）は球出口の周辺の拡大図である。
【図１０】図８および図９に示す部分の縦断面を右側から見た説明図である。図１０（Ａ）は排出球が入賞部材に入賞する場合の流下経路を示す説明図であり、図１０（Ｂ）は排出球が入賞しない場合の流下経路を示す説明図である。
【図１１】図８および図９に示す各状態を説明するための部分断面図である。図１１（Ａ）は流下球と排出球が衝突する直前の状態を示す説明図であり、図１１（Ｂ），（Ｃ）は図９（Ａ）に対応する断面図であり、図１１（Ｄ）〜（Ｆ）は流下球と衝突しないで入賞しない場合の排出球の流下経路を示す断面図である。
【図１２】本願発明者が考案したパチンコ機の一部を拡大して示す斜視説明図である。図１２（Ａ）は、遊技球同士が衝突した様子を示す斜視説明図であり、図１２（Ｂ）は、衝突した遊技球同士が弾かれた様子を示す斜視説明図である。
【符号の説明】
【００７４】
１・・パチンコ機、３・・傾斜誘導部（規制手段）、３ａ・・側壁、５・・溝誘導部（規制手段）、５ａ・・溝底部、５ｂ・・溝側部、８・・球出口（排出口）、１０ｃ・・誘導部、１２・・入賞部材（受入部材）、１２ａ・・入賞口（受入口）、１２ｂ・・内壁（壁）、２０・・遊技盤、２０ａ・・遊技領域、３０・・センターケース、３１・・ハウジング、３５・・球取込口（開口部）、Ｐ１・・排出球、Ｐ２・・流下球。
【図１】
2006230588.tif 000003
【図２】
2006230588.tif 000004
【図３】
2006230588.tif 000005
【図４】
2006230588.tif 000006
【図５】
2006230588.tif 000007
【図６】
2006230588.tif 000008
【図７】
2006230588.tif 000009
【図８】
2006230588.tif 000010
【図９】
2006230588.tif 000011
【図１０】
2006230588.tif 000012
【図１１】
2006230588.tif 000013
【図１２】
2006230588.tif 000014